(57)【要約】【課題】撮影時に設定された露光時間に応じて冷却ファンの回転数を制御することができ、画像ブレ防止と冷却効果の最適化を図ることが可能となる電子カメラを提供する。【解決手段】冷却ファンを備え、該冷却ファンによってカメラ内部を冷却するようにした電子カメラにおいて、  前記冷却ファンの回転数を制御する制御手段を有し、該制御手段は撮影時に設定された露光時間に応じて冷却ファンの回転数を制御することが可能に構成される。  また、前記制御手段は、防振手段の設定状況に応じて前記冷却ファンの回転数を制御することが可能に構成することができる。【選択図】            図１
2011061283.tif 000002
【特許請求の範囲】
【請求項１】
冷却ファンを備え、該冷却ファンによってカメラ内部を冷却するようにした電子カメラにおいて、
前記冷却ファンの回転数を制御する制御手段を有し、該制御手段は撮影時に設定された露光時間に応じて、冷却ファンの回転数を制御することが可能に構成されていることを特徴とする電子カメラ。
【請求項２】
前記電子カメラにおける撮影画像のブレを低減させるための防振手段を有し、前記制御手段は前記防振手段の設定状況に応じて、前記冷却ファンの回転数を制御することが可能に構成されていることを特徴とする請求項１に記載の電子カメラ。
【発明の詳細な説明】
【技術分野】
【０００１】
本発明は電子カメラに関し、特にカメラ内部を冷却するための冷却装置を備えた電子カメラに関するものである。
【背景技術】
【０００２】
電子カメラの撮像装置に用いられるＣＣＤやＣＭＯＳセンサー等の撮像素子は、それ自体発熱し易く、また高温になるとノイズが増えるという性質がある。
更に、マイコン等の撮像素子以外の電子部品も、高性能化に伴い発熱量が増えている。
そのため、電子カメラ、ビデオカメラ等のＣＣＤやＣＭＯＳセンサー等の撮像素子を使用したカメラにおいては、撮像素子のノイズを軽減するためにカメラ内部を冷却し、撮像素子の温度が高温になることを防ぐ必要がある。
【０００３】
このようなことから、従来において、特許文献１では回転色フィルターを回転駆動する駆動手段により駆動されるファンを設け、撮像素子の温度が高温になることを防ぐようにした電子カメラが提案されている。
また、ビデオカメラにおいても冷却ファンを設けて内部を冷却するようにしたものも知られている。
しかしながら、このような冷却ファンを設けたものでは、露光中にファンが回転しているためにファンの振動がカメラに伝わり、画面ブレを起こすことから、特許文献２では露光中は冷却ファンを停止させるようにした電子カメラが提案されている。
【先行技術文献】
【特許文献】
【０００４】
【特許文献１】特開平７−２６４６０５号公報
【特許文献２】特開平１１−１７７８５８号公報
【発明の概要】
【発明が解決しようとする課題】
【０００５】
上記従来例の特許文献２のものでは、露光中は冷却ファンを停止させる構成が採られているため、露光時間が短く冷却ファンの振動が画面ブレに影響しないような場合にも常に冷却ファンを停止させることとなる。
しかしながら、露光時間が短い場合であっても、撮影枚数が多くなればなるほど、電子カメラ内部の温度が上昇し撮像素子のノイズが増大し、更には電子カメラ全体の温度上昇を招くことから、これらを抑制することが必要とされる。
【０００６】
本発明は、このような課題に鑑み、撮影時に設定された露光時間に応じて冷却ファンの回転数を制御することができ、画像ブレ防止と冷却効果の最適化を図ることが可能となる電子カメラの提供を目的とする。
【課題を解決するための手段】
【０００７】
本発明は、つぎのように構成した電子カメラを提供するものである。
本発明の電子カメラは、冷却ファンを備え、該冷却ファンによってカメラ内部を冷却するようにした電子カメラにおいて、
前記冷却ファンの回転数を制御する制御手段を有し、該制御手段は撮影時に設定された露光時間に応じて、冷却ファンの回転数を制御することが可能に構成されていることを特徴とする。
【発明の効果】
【０００８】
本発明によれば、撮影時に設定された露光時間に応じて冷却ファンの回転数を制御することができ、画像ブレ防止と冷却効果の最適化を図ることが可能となる。
【図面の簡単な説明】
【０００９】
【図１】本発明の実施例における電子カメラのブロック図を示した図である。
【図２】本発明の実施例における電子カメラの斜視図を示した図である。
【図３】本発明の実施例における電子カメラの断面図を示した図である。
【図４】本発明の実施例における電子カメラのフローチャートを示した図である。
【発明を実施するための形態】
【００１０】
本発明を実施するための形態における電子カメラについて、以下の実施例により説明する。
【実施例】
【００１１】
図１は、本発明の実施例の電子カメラを示すブロック図である。
１は電子カメラ全体を制御するＣＰＵ、２はレンズ鏡筒、３はレンズ鏡筒２により結像された被写体像を電気信号に変換するＣＣＤ撮像素子、４はＣＣＤ撮像素子３の出力信号をデジタル画像データに変換する信号処理手段である。
５は得られたデジタル画像データを記録する記録媒体、６は電子カメラを冷却する冷却ファンである。
また、７は回転数検出手段で、冷却ファン６の回転数を検出し、検出した回転数をＣＰＵ１に出力する。
本実施例では、このようにＣＰＵ１により冷却ファンの回転数を制御する制御手段を構成することによって、撮影時に設定された露光時間に応じて、冷却ファン６の回転数を制御する。
例えば、露光時間が短く冷却ファン６の振動が画面ブレに影響しないような場合には、冷却効果のある高い回転数（第１の回転数）に制御することが可能に構成される。
これに対し、露光時間が長く冷却ファン６の振動が画面ブレに影響する場合には、その影響の少ない低い回転数（第二の回転数または第三の回転数）に制御することが可能に構成される。
【００１２】
８はサーミスタでカメラ内部の温度を検出し検出した温度をＣＰＵ１に出力する。
また、２−１は撮影画像のブレを低減させるために光学補正を行う防振機構（防振手段）であり、レンズ鏡筒２の内部に構成されている。
この防振機構は、防振制御設定がオン、オフに切り換え可能に構成されている。
そして、上記制御手段は該防振手段の設定状況に応じて、冷却ファン６の回転数を制御することが可能に構成されている。
例えば、防振制御設定がオンとされ、オフの場合よりも冷却ファン６の振動が画面ブレにへの影響の少ない場合には、オフの場合よりも回転数の高い上記第二の回転数に制御することが可能に構成される。
これに対して、オフの場合には、オンの場合よりも回転数の低い上記第三の回転数に制御することが可能に構成される。
９は電子カメラの電源スイッチ、１０は撮影準備入力手段である第一スイッチであり、フォーカス制御、露出制御等を行いレンズ鏡筒２のレンズ制御、絞り制御等を行うと共に露出時間を算出する。
１１は電子カメラのレリーズスイッチとなる第二スイッチであり、算出された露出時間の間、露光させＣＣＤ撮像素子３により得られた画像データを記録媒体５へ記録する。
【００１３】
図２は本発明の実施例の電子カメラ斜視図を示し、図３はその断面図を示す。１２は電子カメラの外装、１２ａは外装に設けられた吸気口、１２ｂは外装に設けられた排気口、２はレンズ鏡筒、１３はｃｐｕ１や信号処理手段４等が実装されている回路基板である。
外装１２には電源スイッチ９、第一スイッチ１０、第二スイッチ１１が設けられている。
尚、第一スイッチ１０、第二スイッチ１１とは同一の入力部材に設けられており、上記入力部材の第一ストロークで第一スイッチ１０がオンし、第二ストロークで第二スイッチ１１がオンする。
また、外装１２の内部ではレンズ鏡筒２の後方に図示しないＣＣＤ撮像素子３が固定されており、レンズ鏡筒２により、露光時に被写体像が結像される。
さらに、ＣＣＤ撮像素子３、回路基板１３間には図示しないサーミスタ８が配置されており検出した温度をＣＰＵ１へ出力する。
電子カメラ内部に設けられているＣＣＤ撮像素子３、回路基板１３、電源スイッチ９、第一スイッチ１０、第二スイッチ１１、回転数検出手段７、記録媒体５は不図示のコネクタにより電気的に接続されている。
外装１２の内部で排気口１２ｂに面した位置に冷却ファン６が、また冷却ファン６には回転数検出手段７が設けられている。
冷却ファン６を作動させると、外気は吸気口１２ａから入り、ＣＣＤ撮像素子３、回路基板１３の発熱部を冷却し、冷却ファン６を通り排気口１２ｂから排出される。
これにより、カメラ内部を冷却し、ＣＣＤ等の温度が高温になることを抑制することが可能となる。
【００１４】
図４は本発明の実施例のフローチャートである。
図４を用いて本発明の動作を説明する。
まず、電子カメラの電源スイッチ９がオンされる（Ｓ１）と、電子カメラが立ち上がり、サーミスタ８で温度検出を行い、検出した温度が所定値より高いか否かの判定が行われる（Ｓ２）。
検出した温度が所定値よりも高い場合、冷却ファン６を第一の回転数で駆動させる（Ｓ３）。
次に、第一スイッチ１０が操作されると、フォーカス制御、露出制御等を行うと共に露光時間を算出する（Ｓ４）。
次に、算出した露光時間が設定された所定値よりも長いか否かの判定が行われる（Ｓ５）。
露光時間が所定値よりも長い場合、更に防振制御の設定が確認され（Ｓ６）、防振制御設定がオンの場合、冷却ファン６を第二の回転数で駆動させ、また防振制御設定がオフの場合、冷却ファン６を第三の回転数で駆動させる。
その後、第二スイッチが操作されると露光を開始し撮影を行う（Ｓ７）。
そして撮影した画像データを記録媒体へ記録する（Ｓ８）。
一方、露光時間が所定値内の場合には、Ｓ７のステップに進んで撮影を行い、さらに撮影した画像データを記録媒体へ記録する（Ｓ８）。
【００１５】
ここで冷却ファン６を駆動させる回転数を、第一の回転数＞第二の回転数＞第三の回転数とさせることで、画像ブレの発生しやすい場合には、振動の少ない回転数とすることにより、その振動による影響を抑制することが可能となる。
また、画像ブレが発生し難い場合には、冷却効果のある高い回転数とすることが可能となる。
これらにより画像ブレ防止と冷却効果の最適化を図ることが可能となる。
【符号の説明】
【００１６】
１：ＣＰＵ
２：レンズ鏡筒
２−１：防振機構
３：ＣＣＤ撮像素子
４：信号処理手段
５：記録媒体
６：冷却ファン
７：回転数検出手段
８：サーミスタ
９：電源スイッチ
１０：第一スイッチ
１１：第二スイッチ
【図１】
2011061283.tif 000003
【図２】
2011061283.tif 000004
【図３】
2011061283.tif 000005
【図４】
2011061283.tif 000006